(57)【要約】【課題】            ガイドリング保持部を大型化することなくガイドリングの上下方向の口径を従来よりも大きくできる釣糸ガイドを提供する。【解決手段】          本発明の一実施形態に係る釣糸ガイドは、棒状の竿体に取り付けられる取付足部と、前記取付足部の前端に接続され、前記竿体の軸方向と第１の鋭角をなして前方に伸びる板状のリング保持部と、前記リング保持部に形成された貫通孔に嵌め込まれた環状のガイドリングと、を備える。一実施形態において、ガイドリングは、その軸方向に垂直な面が前記竿体の軸方向と前記第１の鋭角よりも大きい第２の鋭角をなすように配置される。【選択図】          図５
2014187978.tif 000002
【特許請求の範囲】
【請求項１】
棒状の竿体に取り付けられる取付足部と、
前記取付足部の前端に接続され、前記竿体の軸方向と第１の鋭角をなして前方に伸びる板状のリング保持部と、
前記リング保持部に形成された貫通孔に嵌め込まれた環状のガイドリングと、
を備え、
前記ガイドリングは、その軸方向に垂直な面が前記竿体の軸方向と前記第１の鋭角よりも大きい第２の鋭角をなすように配置される、
釣糸ガイド。
【請求項２】
前記ガイドリングが平面視においてほぼ真円形状に形成されている、請求項１の釣糸ガイド。
【請求項３】
前記ガイドリングが平面視において左右方向を短軸とするほぼ楕円形状に形成されている、請求項１の釣糸ガイド。
【請求項４】
前記ガイドリングは、前記貫通孔の内周面に接するリング外周面と、当該リング外周面と平行に伸びるリング内周面と、当該リング外周面と当該リング内周面とを接続する一対のリング側面とを有し、
前記ガイドリングが前記リング保持部から前記リング保持部の表面の法線方向に長さＬだけ突出しており、
前記一対のリング側面の各々は、半径ｒのほぼ円弧状に形成されており、
ｒ＞Ｌの関係が成り立つ、
請求項１から請求項３のいずれか１項に記載の釣糸ガイド。
【請求項５】
前記ガイドリングは、その下端が前記リング保持部の竿尻側表面からはみ出さないように配置される、請求項１ないし請求項４のいずれか１項に記載の釣糸ガイド。
【請求項６】
前記ガイドリングは、その上端が前記リング保持部の竿尻側表面からはみ出るように配置される、請求項１ないし請求項５のいずれか１項に記載の釣糸ガイド。
【請求項７】
請求項１ないし請求項６のいずれか１項に記載の釣糸ガイドを少なくとも１つ備えた釣竿。
【請求項８】
棒状の竿体と、
当該竿体の外周面に取り付けられ、リールから繰り出された釣糸を案内する釣糸ガイドと、
を備えた釣竿であって、
前記釣糸ガイドは、
前記竿体に取り付けられる取付足部と、
前記取付足部の前端に接続され、前記竿体の軸方向と第１の鋭角をなして前方に伸びる板状のリング保持部と、
前記リング保持部に形成された貫通孔に嵌め込まれた環状のガイドリングと、
を備え、
前記ガイドリングは、その軸方向に垂直な面が前記竿体の軸方向と前記第１の鋭角よりも大きい第２の鋭角をなすように配置される、
釣竿。
【発明の詳細な説明】
【技術分野】
【０００１】
本発明は、釣糸ガイド及び当該釣糸ガイドを備える釣竿に関する。
【背景技術】
【０００２】
従来の釣竿は、リールから繰り出され又はリールに巻き取られる釣糸を竿体に沿って案内するために、竿体の外周面に複数の釣糸ガイドを備えている。特開平１０−１３６８４４号公報（特許文献１）には、かかる釣糸ガイドの一例が開示されている。特許文献１に開示されている釣糸ガイドは、金属板をプレス加工して成型されたフレームと、フレームの取付孔に嵌合されたガイドリングと、を備えている。
【０００３】
特許文献１の段落［０００３］に記載されているように、釣糸ガイドには釣糸が絡みやすいという課題がある。この課題に対処するために、フレームのガイドリング保持部を竿体の前方に大きく傾斜させた釣糸ガイドが知られている（例えば、特許文献１の図１０参照）。
【先行技術文献】
【特許文献】
【０００４】
【特許文献１】特開平１０−１３６８４４号公報
【発明の概要】
【発明が解決しようとする課題】
【０００５】
しかしながら、フレームのガイドリング保持部を竿体の前方に倒すと、ガイドリングの上下方向の口径が小さくなるため、釣糸の繰り出し時や巻き取り時に釣糸とガイドリングの内周面との間の摩擦が大きくなり、釣糸の繰り出しや巻き取りを阻害するという問題がある。ガイドリングの口径を大きくすれば釣糸とガイドリング内周面との間で生じる摩擦を小さくできるが、ガイドリング保持部の寸法が大型化及び高重量化するという別の問題が生じる。
【０００６】
本発明の目的の一つは、ガイドリング保持部を大型化することなくガイドリングの上下方向の口径を従来よりも大きくできる釣糸ガイドを提供することである。本発明の他の目的は、本明細書全体を参照することにより明らかとなる。
【課題を解決するための手段】
【０００７】
本発明の一実施形態に係る釣竿は、棒状の竿体と、当該竿体の外周面に取り付けられ、リールから繰り出された釣糸を案内する釣糸ガイドと、を備える。
【０００８】
一実施形態において、釣糸ガイドは、棒状の竿体に取り付けられる取付足部と、前記取付足部の前端に接続され、前記竿体の軸方向と第１の鋭角をなして前方に伸びる板状のリング保持部と、前記リング保持部に形成された貫通孔に嵌め込まれた環状のガイドリングと、を備える。本発明の一態様において、当該ガイドリングは、その軸方向に垂直な面が前記竿体の軸方向と前記第１の鋭角よりも大きい第２の鋭角をなすように配置される。
【発明の効果】
【０００９】
本発明の実施形態によって、ガイドリング保持部を大型化することなくガイドリングの上下方向の口径を従来よりも大きくできる釣糸ガイドが提供される。
【図面の簡単な説明】
【００１０】
【図１】本発明の一実施形態に係る釣竿の構成を模式的に示す側面図。
【図２】本発明の一実施形態に係る釣竿ガイドの斜視図
【図３】本発明の一実施形態に係る釣竿ガイドの平面図
【図４】本発明の一実施形態に係る釣竿ガイドの縦断面図
【図５】本発明の一実施形態に係る釣竿ガイドのガイドリングとリング保持部との位置関係を模式的に示す図
【図６】本発明の一実施形態に係るガイドリングの下端付近を拡大して示す拡大断面図
【図７】本発明の他の実施形態に係る釣竿ガイドの平面図
【発明を実施するための形態】
【００１１】
以下、適宜図面を参照し、本発明の様々な実施形態を説明する。なお、各図面において共通する構成要素に対しては同一の参照符号が付されている。各図面は、説明の便宜上、必ずしも正確な縮尺で記載されているとは限らない点に留意されたい。
【００１２】
図１は、本発明の一実施形態に係る釣竿の構成を示す側面図である。図１に示すように、本発明の一実施形態に係る釣竿Ｒの竿体１は、２つの竿部材、すなわち、元竿１−１と、元竿１−１の先端に取り付けられる穂先竿１−２と、を備える。竿体１は３つ以上の任意の数の竿部材を含んでもよい。例えば、元竿１−１と穂先竿１−２との間に中竿を取り付けることにより、３つの竿部材から成る竿体１が得られる。元竿１−１には、リールシート３を介してリール２が着脱自在に装着される。また、元竿１−１の基端側には、グリップ４が取り付けられている。
【００１３】
これらの元竿１−１及び穂先竿１−２は、典型的には、強化繊維に合成樹脂を含浸させた繊維強化プリプレグシートから作製される。具体的には、繊維強化プリプレグシートを芯金に巻回した後、硬化、脱芯等の工程を行うことにより、元竿１−１及び穂先竿１−２が得られる。元竿１−１及び穂先竿１−２の材料や製法は本明細書で説明されるものに限定されず、それ以外の様々な公知の材料や公知の製法を用いて作製され得る。各竿は、中空構造であってもよく中実構造であってもよい。
【００１４】
竿体１には、少なくとも１つの釣糸ガイドが取り付けられている。図１の竿体１には、釣糸ガイド６−１乃至釣糸ガイド６−１６の１６個の釣糸ガイドが取り付けられている。リール２から繰り出された釣糸５は、図１に示された釣糸ガイド６−１乃至釣糸ガイド６−１６により竿体１の穂先まで案内される。釣糸ガイド６−１は釣り人の手元に最も近い位置にあるので「元ガイド」と呼ばれることがある。また、釣糸ガイド６−１６は、竿体１の最も先端側にあるので、「トップガイド」と呼ばれることがある。釣糸ガイド６−１ないし釣糸ガイド６−７は、前後に伸びる足部で竿体１に取り付けられるいわゆるダブルフットタイプの釣糸ガイドであり、一方、釣糸ガイド６−８ないし釣糸ガイド６−１５は、竿体１の後方に伸びる一つの足部で竿体に取り付けられるいわゆるシングルフットタイプの釣糸ガイドである。後述するように、本発明に係る釣糸ガイドは、シングルフットタイプのものである。本明細書においては、釣糸ガイド６−１乃至釣糸ガイド６−１６を釣糸ガイド６と総称することがある。
【００１５】
図１において、リール２は、ベイトキャスティングリールである。図示のとおり、ベイトキャスティングリールは、一般に、竿体１の外周面の上側に取り付けられる。リール２が竿体１の外周面の上側に取り付けられる場合には、釣糸を案内するための釣糸ガイド６−１〜６−１６も竿体１の上側の外周面に取り付けられる。リール２として、ベイトキャスティングリール以外の様々な種類のリール、例えば、様々な種類のスピニングリールを用いることができる。スピニングリールは、一般に、竿体１の外周面の下側に取り付けられるので、この場合には釣糸ガイド６も竿体１の下側の外周面に取り付けられる。本明細書においては、竿体１のグリップ４側を「後」といい、竿体１の穂先側を「前」と呼ぶ。また、図１の手前側を「右」、奥側を「左」と呼ぶ。
【００１６】
次に、図２乃至図４を参照し、本発明の一実施形態に係る釣糸ガイドをさらに説明する。図２は、図１のシングルフットタイプの釣糸ガイド６−８を拡大して示す斜視図であり、図３は、釣糸ガイド６−８の平面図であり、図４は、図３のＡ−Ａ線に沿った縦断面図である。図示のとおり、本発明の一実施形態に係る釣糸ガイド６−８は、竿体１に取り付けられる取付足部１１と、取付足部１１の前端に接続された板状のリング保持部１２と、リング保持部１２に形成された貫通孔１２ａに嵌め込まれたガイドリング１３と、を備える。
【００１７】
図３に最もよく示されているように、取付足部１１は、竿体１に取り付けられた状態において、竿体１の外周面に沿って伸びる細長い板状又は舌状の部材である。図４に示されているように、取付足部１１は、ナイロン繊維等から形成された巻糸２１によって竿体１に巻き付けられる。巻糸２１にはエポキシ樹脂が含浸され、これにより巻糸２１の表面にエポキシ樹脂層２２が形成される。このエポキシ樹脂層２２により、取付足部１１は竿体１に密着した状態で固定される。本明細書においては、釣糸ガイド６を竿体１に固定するための部材を「ガイド固定部材」又は「ガイド固定部材２０」と総称することがある。上記の巻糸２１及びエポキシ樹脂層２２から成る構造体は、ガイド固定部材２０の一例である。
【００１８】
取付足部１１の前端に設けられたリング保持部１２は、竿体１の後方から前方に向かって上方に傾斜している。つまり、リング保持部１２は、竿体１の前方に倒れた姿勢で竿体１に取り付けられている。リング保持部１２は、概ね平坦な板状の部材であるが、取付足部１１との接続部分は、図４に示すように緩やかに湾曲している。つまり、リング保持部１２は、貫通孔１２ａが形成された概ね平坦な平坦部と、取付足部１１に接続される緩やかに湾曲した湾曲部と、を含む。
【００１９】
取付足部１１及びリング保持部１２は、プリプレグシートから一体に作製することができる。取付足部１１及びリング保持部１２を作製する際には、まず複数のプリプレグシートをプレス加工により貼り合わせて焼成及び硬化し、プリプレグ成形品が作製される。次にこのプリプレグ成形品から、取付足部１１及びリング保持部１２に相当する形状のフレームが切り出される。このようにして、取付足部１１及びリング保持部１２が一体となったフレームが得られる。プリプレグシートから釣糸ガイドを作製する工程の詳細については、本出願人の国際出願ＰＣＴ／ＪＰ２０１２／０７９５９５に記載されている。釣糸ガイド６−８、上記以外の任意の公知の手法を用いて作製してもよい。例えば、釣糸ガイド６−８は、金属や合成樹脂等の材料を用いた射出成形により形成されえる。
【００２０】
リング保持部１２の貫通孔１２ａには、環状のガイドリング１３が嵌め込まれる。図２に最もよく示されているように、ガイドリング１３は、ガイドリング１３の周方向に環状に伸びるリング外周面１３ａと、リング外周面１３ａと平行に伸びるリング内周面１３ｃと、このリング外周面１３ａとリング外周面１３ｃとを接続するリング側面１３ｂとを有する。図２には示されていないが、図２におけるガイドリング１３の背面側（竿体１に設置されたときの前側）においても、リング外周面１３ａとリング外周面１３ｃとはリング側面１３ｂで接続されている。ガイドリング１３は、例えば、各種のセラミックス、金属、又は樹脂から形成される。一実施形態において、ガイドリング１３はほぼ真円形状に形成される。ガイドリング１３の詳しい形状については後述する。
【００２１】
図３の平面視において、リング保持部１２の外周は、頂点Ｔとこの頂点Ｔからガイドリングの中心Ｏ１を中心に時計回りに約１２０°回転したＰ１点との間、及び、頂点Ｔとこの頂点Ｔから反時計回りに約１２０°回転したＰ２点の間の区間において、ガイドリングと同心の真円形状に形成される。リング保持部１２の下部は、Ｐ１点及びＰ２点から、取付足部１１に向かって徐々に幅狭となるように形成される。
【００２２】
次に、図５を参照して、リング保持部１２に対するガイドリング１３の配置についてさらに詳しく説明する。図５は、釣糸ガイド６−８右側方から見た模式図である。上記のとおり、板状のリング保持部１２は、竿体１の後方から前方に向かって上方に傾斜している。図５の例では、リング保持部１２は、竿体１の軸方向に対して鋭角の角度α１をなして前方に伸びている。図５には、このリング保持部１２の表面と平行に伸びる仮想面Ｓ１（本明細書において「リング保持部設置面」ということがある。）が示されている。この定義から明らかなように、リング保持部１２は、その平坦部分（取付足部１１と接続される湾曲した部分を除く部分）の表面が仮想面Ｓ１と平行になるように配置される。
【００２３】
ガイドリング１３は、その軸方向に垂直な面Ｓ２（本明細書において「ガイドリング設置面」ということがある。）が竿体１の軸方向と角度α２をなすように配置される。つまり、ガイドリング１３は、竿体１の軸方向から角度α２だけ傾斜するように配置される。この角度α２は、角度α１よりも若干大きくなるように定められる。一実施形態において、ガイドリング設置面とリング保持部設置面との差（α２−α１）は、０°＜（α２−α１）≦５°を満たす。一実施形態において、α１は概ね４５°である。
【００２４】
以上の説明から明らかなように、リング保持部１２はガイドリング１３よりも竿体１の前方に大きく傾いている。換言すれば、ガイドリング１３はリング保持部１２よりも竿体１の前方への傾きが小さい。従来の釣糸ガイドにおいては、リング保持部設置面とガイドリング設置面とが平行になるようにリング保持部とガイドリングとの配置が定められていたが、本発明の実施形態においては、リング保持部設置面とガイドリング設置面とが平行にならずに、リング保持部設置面の方が竿体１の軸方向に対して大きく傾斜している。
【００２５】
このように、本発明の実施形態においては、ガイドリング設置面をリング保持部設置面に対して鉛直方向に傾けることにより、ガイドリングの上下方向の口径を、リング保持部設置面とガイドリング設置面とが平行に配置された従来の釣糸ガイドよりも大きく確保できる。これにより、釣糸の繰り出し時や巻き取り時に釣糸とガイドリングの内周面との間に生じる摩擦を低減することができる。また、ガイドリング１３をほぼ真円形状とすることにより、当該ガイドリング１３を保持するリング保持部１２の大型化を防止することができる。
【００２６】
次に、ガイドリング１３の形状について、図６を参照してさらに説明する。図６は、ガイドリング１３の下端とリング保持部１２の境界領域（概ね図４の領域Ａに対応する。）の断面（ガイドリング１３の周方向に垂直な方向の断面）を拡大して示す拡大断面図である。
【００２７】
上記のとおり、ガイドリング１３は、リング外周面１３ａと、内周面１３ｃと、このリング外周面１３ａとリング外周面１３ｃとを接続するリング側面１３ｂとを有する。図６に示すように、一実施形態において、リング外周面１３ａは、貫通孔１２ａの内周面に密着できるように平坦に形成される。一方、リング内周面１３ｃは、ガイドリング１３内を通過する釣糸に鋭角なエッジが当たらないように、緩やかに湾曲した形状に形成される。この外周面１３ａと内周面１３ｃとは、半径ｒのほぼ部分円弧状をなすリング側面１３ｂにより接続される。ガイドリング１３は、その全周にわたって、ほぼ均一な断面形状を有する。
【００２８】
上記のとおり、本発明の実施形態においては、ガイドリング１３がリング保持部１２に対して傾いて配置されているため、ガイドリング１３の下端がリング保持部１２の穂先側表面からはみ出し（図４の領域Ａ参照）、上端がリング保持部１２の竿尻側表面からはみ出すことがある（図４の領域Ｂ参照）。図６の実施例においては、ガイドリング１３の下端付近が、リング保持部１２の前側（穂先側）の表面１２ｂよりも、その表面１２ｂの法線方向に長さＬに相当する分だけ突出している。本発明の一実施形態に係るガイドリング１３のリング側面１３ｂは、半径ｒの部分円弧状に形成されている。一実施形態においては、このリング側面１３ｂの半径ｒがガイドリング１３の突出長Ｌよりも大きくなるように（すなわち、ｒ＞Ｌの関係を満たすように）形成される。
【００２９】
このように、リング側面１３ｂの半径ｒをガイドリング１３の突出長Ｌよりも大きくすることで、ガイドリング１３の外周面１３ａと内周面１３ｃとをなだらかな曲面で連結することができる。したがって、釣糸５がリング保持部１２とガイドリング１３の下端との間の段差（ガイドリング１３がリング保持部１２から突出する突出部）に引っかかりにくくすることができる。
【００３０】
また、本発明の一実施形態においては、図４に示されているように、ガイドリング１３の下端（の最も後側の部分）がリング保持部１２の竿尻側表面からはみ出さないように、ガイドリング１３がリング保持部１２に対して配置される。かかる配置により、釣糸５が、リング保持部１２の竿尻側表面においてガイドリング１３に引っかかりにくくすることができる。ガイドリング１３の下端がリング保持部１２の竿尻側表面からはみ出していると、釣糸５がガイドリング１３の下方に垂れ下がった状態からガイドリング１３内の正常な軌道に復帰するときに、ガイドリング１３下端のはみ出している部分に引っかかりやすくなってしまう。ガイドリング１３の下端がリング保持部１２の竿尻側表面からはみ出さないようにすることで、釣糸５がガイドリング１３の下方に垂れ下がった状態からガイドリング１３内の正常な軌道に復帰するときに、釣糸５がガイドリング１３に引っかかることを防止できる。
【００３１】
また、本発明の一実施形態においては、図４に示されているように、ガイドリング１３の下端（の最も後側の部分）がリング保持部１２の竿尻側表面からはみ出すように、ガイドリング１３がリング保持部１２に対して配置される。かかる配置により、釣糸５が、リング保持部１２の竿尻側表面においてガイドリング１３に引っかかりにくくすることができる。ガイドリング１３の上端（の最も後側の部分）がリング保持部１２の竿尻側表面よりも前側に位置すると、ガイドリング５を通過する釣糸がガイドリング１２の内径の鋭角なエッジ部（図４の符号Ｅで示された部分）に当接し、釣糸５が損傷するおそれがある。ガイドリング１３の下端（の最も後側の部分）がリング保持部１２の竿尻側表面からはみ出すように、ガイドリング１３がリング保持部１２に対して配置することにより、釣糸５がリング保持部１２の内径に接触することを防止できる。
【００３２】
次に、図７を参照して、本発明の他の実施形態について説明する。図７は、本発明の他の実施形態に係る釣竿ガイドの平面図を示す。図７に示されている釣糸ガイド２６は、釣糸ガイド６と同様に、図１に示す釣竿Ｒの外周面に設置される。釣糸ガイド２６は、ガイドリング及びリング保持部のガイドリングを支持する部分の形状において釣糸ガイド６と異なるが、その他の点は釣糸ガイド６と同様に構成されるので、ガイドリング及びリング保持部以外については詳細な説明を省略する。
【００３３】
図７に示されているリング保持部３２には、ほぼ楕円形状の貫通孔３２ａが形成されている。この貫通孔３２ａは、図７に示されている平面視において竿体１の前後方向を長径とし左右方向を短径とする。この貫通孔３２ａには、同様にほぼ楕円形状に形成されたガイドリング３３が嵌め込まれている。上述したリング保持部１２とガイドリング１３との関係と同様に、ガイドリング３３の竿体１の軸方向に対する傾斜角度は、リング保持部３２の竿体１の軸方向に対する傾斜角度よりも大きくなっている。
【００３４】
本実施形態に係る釣糸ガイド２６においては、ガイドリング３３が平面視において竿体１の前後方向を長径とする楕円形状に形成されているので、真円形状のガイドリングよりもガイドリング３３の上下方向の口径を大きくすることができる。これにより、釣糸とガイドリングとの間の摩擦をさらに減少させることができる。本実施形態に係る釣糸ガイド２６は、ガイドリング３３の上下方向の口径を所定値よりも大きく確保する場合であっても、ガイドリングとリング保持部とが平行に配置された従来の楕円形状のガイドリングを有する釣糸ガイド（例えば、特許文献１の図１に開示されている釣糸ガイド１）において同じ口径を確保する場合よりも、リング保持部が大型化しない。
【００３５】
以上、釣糸ガイド６−８及び釣糸ガイド２６を例に、本発明の範囲に含まれる釣糸ガイドの構成を説明したが、他のシングルフットタイプの釣糸ガイド６−９〜６−１５も、釣糸ガイド６−８と同様に構成され得る。ただし、寸法は互いに同じであってもよいし異なっていてもよい。また、ダブルフットタイプの釣糸ガイド６−１〜６−７を、釣糸ガイド６−８と同様に構成されたシングルフットタイプの釣糸ガイドで置き換えてもよい。図１の実施形態においては、釣糸ガイド６−１〜６−１６のうち、前方にある釣糸ガイドは、後方にある釣糸ガイドと比べて、幅が同一か又は小さくなり、また、高さが同一か又は低くなるように構成される。例えば、釣糸ガイド６−２は、それよりも後方にある釣糸ガイド６−１よりも幅が小さく高さが低くなるように構成され、トップガイド６−１６近辺の釣糸ガイド（例えば、釣糸ガイド６−１０〜６−１６）は、互いに同幅・同高に形成される。
【００３６】
本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。
【符号の説明】
【００３７】
Ｒ  釣竿
１  竿体
２  リール
５  釣糸
６（６−１〜６−１６）、２６  釣糸ガイド
１１  取付足部
１２  リング保持部
１３  ガイドリング
【図１】
2014187978.tif 000003
【図２】
2014187978.tif 000004
【図３】
2014187978.tif 000005
【図４】
2014187978.tif 000006
【図５】
2014187978.tif 000007
【図６】
2014187978.tif 000008
【図７】
2014187978.tif 000009